(57)【特許請求の範囲】
【請求項１】
培地から上方へ直立する接ぎ木用台木の茎を当該茎の軸線に対して所定の切断角度で切断するために用いられるカッターであって、
使用時に培地側である下方に向けられる先端と、その反対側の基端と、使用時に前記茎に対して前記切断角度に対応した角度に向けられる平らな上面と、その反対側のこれと平行な下面と、使用時に前記茎の側面に沿う一側部と、その反対側の他側部とを有する本体と、
前記本体の下面から所定の角度で延出するピストルグッリップ式の取っ手と、
前記本体の先端側に配置される切断位置と基端側に配置される待機位置との間を移動自在に本体の上面上に保持される刃物保持部材と、
前記刃物保持部材を前記本体上の待機位置に付勢する付勢部材と、
一側縁に直線状に延びる刃を有し、前記刃物保持部材上に、前記本体の上面と平行に着脱自在に保持される平板状の刃物と、を具備し、
前記本体は、使用時に前記茎の側面に沿って茎を保持する位置決め保持部を一側部側に具備し、
前記刃物保持部材は、概略矩形平板状で、前記本体に対応する、先端と、その反対側の基端と、一側面と、その反対側の他側面と、本体の上面に摺動自在に対向する摺動面と、これと平行でその反対側にあって前記刃物を載せ受ける刃物保持面とを有し、待機位置において基端が前記本体の基端から突出し、前記取っ手を握った手の親指で基端を押して切断位置へ押し出し可能に配置され、
前記本体の位置決め保持部は、使用時に前記茎の側面に沿って配置されたときに、前記刃物が前記所定の切断角度に配置されるように相互位置が設定され、
前記刃物保持部材と前記本体との間には、刃物保持部材が待機位置から切断位置に向かって移動するにしたがって徐々に本体の一側部側へ移動するように規制するガイド部が設けられ、
前記刃物は、前記刃物保持部材の一側面側に前記刃を向け、かつ刃が基端側から先端側へ一直線状に延びるように配置され、それによって、使用時に刃物保持部材が待機位置から切断位置に向うとき、前記茎に対して刃をその延長方向に上方から下方へ前記所定の切断角度で移動させつつ、徐々に深く切れ込んで切断に至るように構成されることを特徴とする接ぎ木用台木カッター。
【請求項２】
使用時に前記培地の上面に当接するように前記本体の先端側へ突出する先端と、本体の下面側に配置される基端とを有し、本体の下面に沿って本体の先端側への延出長さを調整自在に本体に取り付けられ、
それによって、前記茎の切断高さ位置を規定する高さ定規をさらに具備することを特徴とする請求項１に記載の接ぎ木用台木カッター。
【発明の詳細な説明】
【技術分野】
【０００１】
本発明は、培地から直立する接ぎ木用台木の茎を所定の高さ位置で、当該茎の軸線に対して所定の切断角度で切断するために用いられるカッターに関する。
【背景技術】
【０００２】
キュウリやトマトなどの野菜の苗を接ぎ木するための台木は、その茎を培地から所定の高さ位置で、所定角度に斜めに切断して得られる。従来、接ぎ木用の台木を切断するためのカッターとして、特許文献１に記載されたものが知られている。このカッターは、片手操作で開閉可能な二本の把持片の先に切断部が設けられ、切断部は把持片に対して下向き傾斜又は上向き傾斜に設けられ、一方の切断部には切断刃が備えられ、他方の切断部には苗木支持部が設けられ、苗木支持部には切断刃が進入できる刃進入部が設けられ、両把持片を閉じると苗木が苗木支持部に支持されると共に、切断刃が刃進入部内に進入して苗木を切断するものである。
【先行技術文献】
【特許文献】
【０００３】
【特許文献１】特開２００９−８２０５６号公報
【発明の概要】
【発明が解決しようとする課題】
【０００４】
上記従来の苗木カッターは、苗木の茎を横断する方向に切断刃が進入するため、組織が壊れたり、切断面の滑らかさに欠けたりして、活着率を低下させる一要因となっている。したがって、本発明は、刃物をその刃の延長方向に移動させつつ茎に横断方向に切り込ませることによって、組織が壊れず、切断面の滑らかな台木を得ることができるカッターを提供することを目的としている。
【課題を解決するための手段】
【０００５】
以下、添付図面の符号を参照して説明するが、本発明はこれに限定されるものではない。
上記課題を解決するための、本発明の台木カッター１は、培地Ｂから上方へ直立する接ぎ木用台木の茎Ｓを当該茎Ｓの軸線に対して所定の切断角度Ａで切断するために用いられるカッターであって、本体２と、本体２から延出する取っ手３と、本体２上に待機位置と切断位置の間を移動自在に設けられる刃物保持部材４と、刃物保持部材４を本体２上の待機位置に付勢する付勢部材５と、刃物保持部材４上に着脱自在に保持される平板状の刃物６とを具備する。本体２は、使用時に培地Ｂ側である下方に向けられる先端８と、その反対側の基端９と、使用時に茎Ｓに対して切断角度Ａに対応した角度に向けられる平らな上面１０と、その反対側のこれと平行な下面１１と、使用時に茎Ｓの側面に沿う一側部１２と、その反対側の他側部１３とを有する。取っ手３は、本体２の下面１１からピストルグッリップ式に所定の角度で延出する。刃物保持部材４は、本体２の先端８側に配置される切断位置と基端９側に配置される待機位置との間を移動自在に本体２の上面１０上に保持される。平板状の刃物６は、一側縁に直線状に延びる刃３４を有し、刃物保持部材４上に、本体２の上面１０と平行に着脱自在に保持される。刃物保持部材４は、概略矩形平板状で、本体に対応して、先端２２と、その反対側の基端２３と、一側面２４と、その反対側の他側面２５と、本体２の上面に摺動自在に対向する摺動面２６と、この摺動面２６に平行でその反対側にあって刃物６を載せ受ける刃物保持面２７とを有する。刃物保持部材４は、待機位置において基端２３が本体２の基端９から突出し、取っ手３を握った手の親指で基端２３を押して切断位置へ押し出し可能に配置される。本体２は、使用時に茎Ｓの側面に沿って茎Ｓを保持する位置決め保持部１９を一側部１２側に具備する。この位置決め保持部１９は、使用時に茎Ｓの側面に沿って配置されたときに、刃物６が所定の切断角度Ａに配置されるように相互位置が設定される。刃物保持部材４と本体２との間には、刃物保持部材４が待機位置から切断位置に向かって移動するにしたがって徐々に本体２の一側部１２側へ移動するように規制するガイド部２８が設けられる。刃物６は、刃物保持部材４の一側面２４側に刃３４を向け、刃３４が基端２３側から先端２２側へ一直線状に延びるように配置され、それによって、使用時に刃物保持部材４が待機位置から切断位置に向うとき、茎Ｓに対して刃３４をその延長方向に上方から下方へ所定の切断角度Ａで移動させつつ、徐々に深く切れ込んで切断に至るように構成される。
【発明の効果】
【０００６】
本発明の台木カッター１は、位置決め保持部に台木の茎を保持させて、刃物保持部材を切断位置へ押し出すだけで、熟練を要さずに、台木の茎を所定の切断角度に容易に切断することができる。切断の際、刃物が、茎に対して上方から下方へ所定の切断角度でその延長方向に移動しつつ、徐々に深く茎に切り込まれて茎の切断に至るから、切断部の組織が壊れにくく、滑らかな切断面が得られ、活着率の向上に貢献する。
【図面の簡単な説明】
【０００７】
【図１】本発明に係る台木カッターの分解斜視図である。
【図２】図１の台木カッターの分解斜視図である。
【図３】図１の台木カッターの正面図である。
【図４】図１の台木カッターの不使用時の平面図である。
【図５】図１の台木カッターの切断動作時の平面図である。
【図６】図４におけるＶＩ−ＶＩ断面図である。
【図７】図１の台木カッターの使用状態の断面図である。
【発明を実施するための形態】
【０００８】
図面を参照して本発明の実施の形態を説明する。
台木カッター１は、図７に示すように、培地Ｍから上方へ直立する接ぎ木用台木の茎Ｓを当該茎Ｓの軸線に対して所定の切断角度Ａで切断するために用いられるカッターである。カッター１は、本体２と、本体２から延出する取っ手３と、本体２上に待機位置（図４）と切断位置（図５）の間を移動自在に設けられる刃物保持部材４と、刃物保持部材４を本体２上の待機位置に付勢する付勢部材であるばね５と、刃物保持部材４上に着脱自在に保持される平板状の刃物６とを具備する。
【０００９】
本体２の主要部をなす概略矩形の基板部７は、図７に示す使用状態において培地Ｂ側である下方に向けられる先端８と、その反対側の基端９と、使用時に茎Ｓに対して切断角度Ａに対応した角度に向けられる平らな上面１０と、その反対側のこれと平行な下面１１と、使用時に茎の側面に沿う一側部１２と、その反対側の他側部１３とを有する。
【００１０】
基板部７の一側部１２には、上面１０から直角に起立して基端から先端へ直線状に延びる第１の側壁１４が形成される。基板部７の他側部１３には、上面１０から直角に起立して側壁１４とほぼ平行に延びる第２の側壁１５が形成される。刃物保持部材４を本体２上に保持するための枠体１６は、架橋部１７と庇部１８とを具備する。架橋部１７は、本体２の基端９側において両側壁１３，１４の上端部間を架橋する。庇部１８は、側壁１５の上端部から側壁１４側へ直角に張り出す。側壁１４は、基板部７の上面１０と平行な上面３９を有する。
【００１１】
本体２の一側部１２には、使用時に茎Ｓの側面に沿って茎Ｓを保持する位置決め保持部１９が設けられる。位置決め保持部１９は、第１の側壁１４の先端８側の外側に設けられ、基板部７の上面１０に対して切断角度Ａだけ傾斜した当接面２０と、この当接面の外側縁部から直角に立ち上がる保持片２１とを具備する。当接面２０は、図７に示す使用時に、茎Ｓの側面に沿って配置されたときに、刃物６が茎Ｓの軸線に対して所定の切断角度Ａに配置されるように位置が設定される。
【００１２】
取っ手３は、本体２の基端８側の下面から、ピストルグッリップ式に所定の角度で延出する。本体２に対する取っ手３の延出角度は、図７に示す使用状態においてほぼ水平となる角度に設定される。
【００１３】
刃物保持部材４は、図４に示すように、本体２の先端７側の一側部１２寄に配置される切断位置と、図５に示すように、基端８側の他側部１３寄に配置される待機位置との間を移動自在に、本体２の上面９上、両側壁１４，１５間に保持される。刃物保持部材４は、概略矩形平板状の部材であり、本体２に対応して、先端２２と、その反対側の基端２３と、一側面２４と、その反対側の他側面２５と、本体２の上面１０に摺動自在に対向する摺動面２６と、この摺動面２６に平行でその反対側の刃物保持面２７とを有する。刃物保持面２７は、側壁１４の上面３９とほぼ同一平面上に並び、その上に刃物６を載せ受ける。刃物保持部材４は、待機位置において基端２３が本体２の基端９から突出し、取っ手３を握った手の親指で基端２３を押すことにより、切断位置へ押し出し可能に配置される。
【００１４】
刃物保持部材４と本体２との間には、刃物保持部材４が待機位置（図４）から切断位置（図５）に向かって移動するにしたがって徐々に本体２の一側部１２側へ移動するように規制するガイド部２８（図５）が設けられる。ガイド部２８は、刃物保持部材４のガイド溝２９及びばね受けガイド溝３０と、本体２のガイド突起３１及びばね受けガイド突起３２とを具備する。
【００１５】
ガイド溝２９とばね受けガイド溝３０は、刃物保持部材４の摺動面２６側に、互いに平行に直線的に延びるように形成される。ガイド溝２９とばね受けガイド溝３０は、基端２３側から先端２２側に向かうにしたがって徐々に一側面２４に接近する所定の傾斜角をもって延びている。
【００１６】
ガイド突起３１とばね受けガイド突起３２は、それぞれガイド溝２９とばね受けガイド溝３０に摺動自在に嵌合するように、本体２の上面１０上に突設される。本体２の上面１０には、刃物保持部材４のばね受けガイド溝３０と対向してばね５を受け入れるばね受け溝３３が形成される。ばね受け溝３２は、基端９側から先端８側に向かうにしたがって徐々に側壁１４に接近する所定の傾斜角をもって延びている。
【００１７】
したがって、刃物保持部材４は、本体２上において、ガイド部２８の移動規制に従い、基端９側の待機位置において側壁１４から離れ、先端８側の切断位置において側壁１４に当接するように、側壁１４の延長方向に対して斜めに往復移動自在で、ばね５により、側壁１４から離れた基端側の待機位置（図４）に付勢される。
【００１８】
平板状の刃物６は、図示の実施形態において安全カミソリの両刃型替え刃であり、一側縁に直線状に延びる刃３４を有し、刃物保持部材４上に、本体２の上面１０と平行に着脱自在に保持される。すなわち、刃物５は、刃物保持部材４上に突設された２つの係合突起３５に係合し、刃物５、刃物保持部材４の貫通孔３６、本体の長孔３７を貫通する押さえ軸３８により、保持部材４上に着脱自在に保持される。長孔３７は、押さえ軸３８が本体２上の刃物保持部材４の移動を阻害しないように、ガイド溝２９，３０と平行に延びるように形成される。
【００１９】
刃物６は、刃物保持部材４の側面２４側に刃３４を向け、当該側面２４から外側へ張り出して本体の側壁１４の上面３９上に乗るように配置される。したがって、使用時に刃物保持部材４が待機位置から切断位置に向うとき、茎Ｓに対して刃３４をその延長方向に上方から下方へ所定の切断角度Ａで移動させつつ、徐々に深く切れ込んで茎Ｓを切断するように構成される。
【００２０】
本体２の下面１０側には高さ定規４０が設けられる。高さ定規４０は、使用時にその先端４１が培地Ｂの上面に当接して切断高さ位置を規制するように、本体２の先端７側へ突出している。高さ定規４０は、本体２の下面１０とこれに固定されるホルダ４５との間に位置調整自在に保持される。高さ定規４０は、上下方向に弾性変形する弾発片４２を有し、それの基端４２側の上縁に、係合爪４３を有する。この係合爪４３が、本体２の下面１０の対応箇所に形成された断面鋸刃状の係合刃列４４に、係合位置を変更可能に係合している。したがって、高さ定規４０は、本体２の下面１０に沿って本体２の先端側への延出長さを調整自在であり、それによって、茎の切断高さ位置を規定することができる。
【００２１】
このカッターを用いて接ぎ木用台木の茎Ｓを切断する場合には、まず茎Ｓに対する培地Ｂからの所要の切断高さ位置に合わせて高さ定規４０の延出長さを設定する。図７に示すように、取っ手３を握って本体２の上面１０側を台木に向けて接近させ、高さ定規４０の先端４１を培地Ｂの上面に付け、一側部の位置決め保持部１９の当接面２０を茎Ｓの側面に沿わせる。この状態で、茎Ｓの切断高さ位置と、切断角度Ａが定まる。次いで、取っ手３を握った手の親指で刃物保持部材４の基端２３を先端２２側へ押し出すと、刃物保持部材４は、刃物６と一体にガイド溝２９とばね受けガイド溝３０にガイドされて、本体２に対して先端側、第１の起立壁１４方向へ斜めに進行し、起立壁１４に当接して停止する（図５）。この間に、刃物６は、茎Ｓに対して刃３４の延長方向に進みながら徐々に茎Ｓに切れ込んで、切断に至る。このため、茎Ｓに対して半径方向にのみ切れ込む場合に比して、切断面の組織の破壊が最小限に止められる。
【符号の説明】
【００２２】
１      カッター
２      本体
３      取っ手
４      刃物保持部材
５      ばね（付勢部材）
６      刃物
７      本体の基板部
８      本体の基端部
９      本体の先端部
１０    本体の上面
１１    本体の下面
１２    本体の一側部
１３    本体の他側部
１４    第１の起立壁
１５    第２の起立壁
１６    枠体
１７    架橋部
１８    庇部
１９    位置決め保持部
２０    当接面
２１    保持片
２２    刃物保持部材の先端
２３    刃物保持部材の基端
２４    刃物保持部材の一側面
２５    刃物保持部材の他側面
２６    摺動面
２７    刃物保持面
２８    ガイド部
２９    ガイド溝
３０    ばね受けガイド溝
３１    ガイド突起
３２    ばね受けガイド突起
３３    ばね受け溝
３４    刃物の刃
３５    係合突起
３６    貫通孔
３７    長孔
３８    押さえ軸
３９    側壁の上面
４０    高さ定規
４１    高さ定規の先端
４２    高さ定規の基端
４３    係合爪
４４    本体の係合歯列
４５    ホルダ
Ａ      切断角度
Ｂ      培地
Ｓ      台木の茎
【図１】
0005853056.tif 000002
【図２】
0005853056.tif 000003
【図３】
0005853056.tif 000004
【図４】
0005853056.tif 000005
【図５】
0005853056.tif 000006
【図６】
0005853056.tif 000007
【図７】
0005853056.tif 000008